(57)【要約】【課題】動画を所望の箇所から再生し始めるとともに、動画以外の情報も容易に参照できるようにする。【解決手段】場面選択部１２０は、管理対象の動画データである対象動画データからある画面（第１場面）を選択したことを示す情報（場面選択情報）を取得する。キーワード取得部１３０は、場面選択部１２０が場面選択情報を取得すると、第１場面に紐づけるべきキーワードの入力欄を第１画面に表示する。キーワード取得部１３０は、当該入力欄に入力されたキーワードを、第１場面を特定する第１場面特定情報に紐づけてキーワード記憶部１４０に記憶させる。そしてフォルダ生成部１５０は、場面選択部１２０が場面選択情報を取得すると、第１場面に紐づけられたフォルダ（第１フォルダ）を生成し、当該第１フォルダを、データの保存先として選択可能に、上記した第１画面に表示する。【選択図】図１
2020173513.tif 000002
【特許請求の範囲】
【請求項１】
管理対象の動画データである対象動画データから第１場面を選択したことを示す場面選択情報を取得する場面選択部と、
前記場面選択情報を取得すると、前記第１場面に紐づけるべきキーワードの入力欄に入力されたキーワードを、前記第１場面を特定する第１場面特定情報に紐づけて記憶部に記憶させるキーワード取得部と、
前記場面選択情報を取得すると、前記第１場面に紐づけられた第１フォルダを生成し、当該第１フォルダをデータの保存先として選択可能に前記第１画面に表示するフォルダ生成部と、
を備える動画データ管理装置。
【請求項２】
請求項１に記載の動画データ管理装置において、
前記場面選択部は、前記場面選択情報として、再生中の前記対象動画データが一時停止した後、第１場面を確定する旨の入力が行われた場面を前記第１場面として選択する動画データ管理装置。
【請求項３】
請求項１又は２に記載の動画データ管理装置において、
複数の前記第１場面が選択されており、
検索用のキーワードである検索キーワードを第１端末から取得し、前記検索キーワード及び前記記憶部に記憶されているキーワードを用いて、少なくとも一つの前記第１場面を選択し、前記対象動画データを、選択した前記第１場面から前記第１端末に再生させる再生部を備える動画データ管理装置。
【請求項４】
請求項３に記載の動画データ管理装置において、
前記対象動画データが再生された後又は再生中に、前記対象動画データの感想データをユーザに入力させるための感想入力欄を前記第１端末に表示させ、当該感想入力欄に入力された感想データを用いて前記対象動画データの評価データを生成する評価処理部を備える動画データ管理装置。
【請求項５】
請求項３又は４に記載の動画データ管理装置において、
前記対象動画データに追加すべき動画データである追加希望データの内容、及び当該追加希望データの緊急度を特定する緊急度情報を入力する要望入力欄を第３端末に表示し、前記要望入力欄に入力された前記内容及び前記緊急度情報を前記第３端末から取得する要望取得部と、
第４端末に、前記内容を、前記緊急度情報を入力する緊急度入力欄とともに表示させ、当該緊急度入力欄に入力された前記緊急度情報を前記第４端末から取得する緊急度取得部と、
前記要望取得部が取得した前記緊急度情報及び前記緊急度取得部が取得した前記緊急度情報を処理することにより、前記追加希望データの優先度を示す優先度情報を生成する優先度生成部と、
を備える動画データ管理装置。
【請求項６】
コンピュータが、
管理対象の動画データである対象動画データから第１場面を選択したことを示す場面選択情報を取得し、
前記場面選択情報を取得すると、前記第１場面に紐づけるべきキーワードの入力欄に入力されたキーワードを、前記第１場面を特定する第１場面特定情報に紐づけて記憶部に記憶させ、
前記場面選択情報を取得すると、前記第１場面に紐づけられた第１フォルダを生成し、当該第１フォルダをデータの保存先として選択可能に前記第１画面に表示する、動画データ管理方法。
【請求項７】
コンピュータに、
管理対象の動画データである対象動画データから第１場面を選択したことを示す場面選択情報を取得する機能と、
前記場面選択情報を取得すると、前記第１場面に紐づけるべきキーワードの入力欄に入力されたキーワードを、前記第１場面を特定する第１場面特定情報に紐づけて記憶部に記憶させる機能と、
前記場面選択情報を取得すると、前記第１場面に紐づけられた第１フォルダを生成し、当該第１フォルダをデータの保存先として選択可能に前記第１画面に表示する機能と、
を持たせるプログラム。
【発明の詳細な説明】
【技術分野】
【０００１】
本発明は、動画データ管理装置、動画データ管理方法、及びプログラムに関する。
【背景技術】
【０００２】
動画の再生開始場所を特定する技術の一つに、例えば特許文献１に記載の技術がある。この技術は、動画ファイル内の特定シーンを効率的に参照することを目的としている。そして、シーン情報格納手段４には、シーン番号、開始／終了フレームのタイムコード、シーンに関するキーワード、及び動画ファイル名が格納されている。これらの情報は、シーンを検索するために用いられている。
【先行技術文献】
【特許文献】
【０００３】
【特許文献１】特開平１０−１１１８７２号公報
【発明の概要】
【発明が解決しようとする課題】
【０００４】
再生されている動画から効率的に情報を取得するためには、動画を所望の箇所から再生し始めるとともに、動画以外の関連情報も参照できるようにすることが望ましい。本発明の目的の一つは、動画を所望の箇所から再生し始めるとともに、動画以外の情報も容易に参照できるようにすることにある。
【課題を解決するための手段】
【０００５】
本発明によれば、管理対象の動画データである対象動画データから第１場面を選択したことを示す場面選択情報を取得する場面選択部と、
前記場面選択情報を取得すると、前記第１場面に紐づけるべきキーワードの入力欄に入力されたキーワードを、前記第１場面を特定する第１場面特定情報に紐づけて記憶部に記憶させるキーワード取得部と、
前記場面選択情報を取得すると、前記第１場面に紐づけられた第１フォルダを生成し、当該第１フォルダをデータの保存先として選択可能に前記第１画面に表示するフォルダ生成部と、
を備える動画データ管理装置が提供される。
【０００６】
また、本発明によれば、上記動画データ管理装置の動作方法、及び上記動画データ管理装置を実現するためのプログラムも提供される。
【発明の効果】
【０００７】
本発明によれば、動画を所望の箇所から再生し始めるとともに、動画以外の情報も容易に参照できる。
【図面の簡単な説明】
【０００８】
【図１】第１実施形態に係る動画データ管理装置の機能構成を示す図である。
【図２】キーワード記憶部が記憶しているデータの一例を示す図である。
【図３】フォルダ情報記憶部が記憶しているデータの一例を示す図である。
【図４】図１に示す動画データ管理装置のハードウエア構成を例示するブロック図である。
【図５】動画データ管理装置が行う第１動作例を説明するためのフローチャートである。
【図６】動画データ管理装置のディスプレイの表示される画面の一例を示す図である。
【図７】動画データ管理装置が行う第２動作例を説明するためのフローチャートである。
【図８】第２実施形態に係る動画データ管理装置の機能構成を示す図である。
【図９】第１端末に表示される画面の一例を示す図である。
【図１０】第３実施形態に係る動画データ管理装置の機能構成を示す図である。
【図１１】要望処理部の機能構成の一例を示す図である。
【図１２】要望取得部が第３端末に表示する要望入力欄の一例を示す図である。
【図１３】緊急度取得部が第４端末に表示す画面の一例を示す図である。
【発明を実施するための形態】
【０００９】
以下、本発明の実施の形態の一例について、図面を用いて説明する。尚、すべての図面において、同様な構成要素には同様の符号を付し、適宜説明を省略する。
【００１０】
［第１実施形態］
＜機能構成例＞
図１は、第１実施形態に係る動画データ管理装置１０の機能構成を示す図である。動画データ管理装置１０は、場面選択部１２０、キーワード取得部１３０、及びフォルダ生成部１５０を備えている。
【００１１】
場面選択部１２０は、管理対象の動画データである対象動画データからある画面（以下、第１場面と記載）を選択したことを示す情報（以下、場面選択情報と記載）を取得する。第１場面は、例えば動画の内容（例えば提供される情報）が切り替わる場面である。キーワード取得部１３０は、場面選択部１２０が場面選択情報を取得すると、キーワードの入力欄に入力されたキーワードを、第１場面を特定する第１場面特定情報に紐づけてキーワード記憶部１４０に記憶させる。なお、キーワードの入力欄は、例えば第１画面に表示されている。第１画面は、例えば、動画データ管理装置１０に直接又は通信網を介して接続されているディスプレイである。そしてフォルダ生成部１５０は、場面選択部１２０が場面選択情報を取得すると、第１場面に紐づけられたフォルダ（以下、第１フォルダと記載）を生成し、当該第１フォルダを、データの保存先として選択可能に、上記した第１画面に表示する。以下、動画データ管理装置１０について詳細に説明する。
【００１２】
対象動画データは、例えば作業マニュアルを説明する動画データなどの教育用のデータである。ただし、対象動画データはこのようなデータに限定されない。
【００１３】
対象動画データは動画記憶部１１０に記憶されている。動画記憶部１１０は、対象動画データを、タイトル（ファイル名）、カテゴリ、及びその対象動画データ全体に対するキーワードとともに記憶している。本図に示す例において、動画記憶部１１０は動画データ管理装置１０の一部となっている。ただし、動画記憶部１１０は動画データ管理装置１０の外部のストレージであってもよい。動画記憶部１１０は、複数の対象動画データを記憶していてもよい。
【００１４】
場面選択部１２０は、動画記憶部１１０から対象動画データを読み出し、第１画面に表示（再生）させる。第１画面は、例えば動画データ管理装置１０に接続しているディスプレイであるが、動画データ管理装置１０と通信回線を介して接続していてもよい。
【００１５】
そして場面選択部１２０は、上記したように、第１場面を選択したことを示す場面選択情報を取得する。例えば動画データ管理装置１０のユーザは、再生中の対象動画データを一時停止する旨の入力を動画データ管理装置１０の入力デバイスに対して行い、その後、一時停止場面の修正を行う。そしてユーザは、第１場面を確定する旨の入力を入力デバイスに対して行う。すると、場面選択部１２０は、この入力が行われた場面を第１場面として選択する。そして場面選択部１２０は、この第１場面を特定する情報（以下、第１場面特定情報と記載）として、例えば、対象動画データを再生し始めてからその第１場面が出てくるまでの時間（以下、再生時間と記載）またはフレーム数を取得する。ただし、第１場面特定情報は、他の情報であってもよい。
【００１６】
キーワード取得部１３０は、第１場面に紐づけるべきキーワードの入力欄を第１画面に表示する。例えばキーワード取得部１３０は、対象動画データを再生し始める前に、キーワードの入力欄を第１画面に表示し始める。ただしキーワード取得部１３０は、例えば動画データ管理装置１０のユーザが対象動画データの再生を一時停止する旨の入力を行ったとき、上記したキーワードの入力欄を第１画面に表示してもよい。
【００１７】
動画データ管理装置１０のユーザは、第１画面に表示された入力欄に対して、第１場面に紐づけるべきキーワードを入力する。キーワード取得部１３０は、入力されたキーワードを、第１場面特定情報に紐づけてキーワード記憶部１４０に記憶させる。本図に示す例において、キーワード記憶部１４０は動画データ管理装置１０の一部であるが、動画データ管理装置１０の外部のストレージであってもよい。
【００１８】
フォルダ生成部１５０は、上記したように、場面選択情報を取得すると、第１場面に紐づけるべき第１フォルダを生成する。この際、フォルダ生成部１５０は第１フォルダのフォルダ名を自動で生成してもよいし、動画データ管理装置１０のユーザに入力させてもよい。そしてフォルダ生成部１５０は、第１フォルダを、データの保存先として選択可能に、上記した第１画面に表示する。例えば動画データ管理装置１０のユーザは、この表示を用いて所望するデータを第１フォルダに格納する。そしてフォルダ生成部１５０は、第１フォルダを特定するための情報（以下、第１フォルダ特定情報と記載）を、第１場面特定情報に対応付けてフォルダ情報記憶部１６０に記憶させる。本図に示す例においてフォルダ情報記憶部１６０は動画データ管理装置１０の一部であるが、動画データ管理装置１０の外部のストレージであってもよい。
【００１９】
なお、一つの対象動画データに対して第１場面が複数選択される。この場合、キーワード取得部１３０及びフォルダ生成部１５０は、各第１場面に対して上記した処理を行う。
【００２０】
動画データ管理装置１０は再生部１７０を備えている。再生部１７０は、対象動画データを再生して所望する情報を得ようとするユーザから、検索用のキーワードである検索キーワードを取得する。そして再生部１７０は、検索キーワードを用いて、少なくとも一つの第１場面を選択し、対象動画データを、選択した第１場面から前記第１端末に再生させる。
【００２１】
図２は、キーワード記憶部１４０が記憶しているデータの一例を示す図である。本図に示す例において、動画記憶部１１０は、複数の対象動画データを記憶している。そしてキーワード記憶部１４０は、対象動画データ別に、その動画データを特定する情報（例えばタイトル）、並びに第１場面特定情報（例えば再生時間）及びその第１場面特定情報に紐付いたキーワードを記憶している。本図に示す例において、一つの対象動画データに対して、複数の第１画面が設定されている。
【００２２】
図３は、フォルダ情報記憶部１６０が記憶しているデータの一例を示す図である。本図に示す例において、動画記憶部１１０は、複数の対象動画データを記憶している。そしてフォルダ情報記憶部１６０は、対象動画データ別に、その動画データを特定する情報（例えばタイトル）、並びに第１場面特定情報（例えば再生時間）及びその第１場面特定情報に紐付いた第１フォルダを特定する情報（以下、フォルダ特定情報と記載）を記憶している。フォルダ特定情報は、例えばその第１フォルダが保存されている場所及び第１フォルダのフォルダ名である。本図に示す例において、一つの対象動画データに対して、複数の第１画面が設定されている。
【００２３】
なお、第１フォルダそのものは、例えば動画データ管理装置１０にインストールされている他のソフトウェア、例えばファイル管理ソフトウェアまたはＯＳ（Operating System）によって管理されている。
【００２４】
＜ハードウエア構成例＞
図４は、図１に示す動画データ管理装置１０のハードウエア構成を例示するブロック図である。動画データ管理装置１０は、バス１０１０、プロセッサ１０２０、メモリ１０３０、ストレージデバイス１０４０、入出力インタフェース１０５０、及びネットワークインタフェース１０６０を有する。
【００２５】
バス１０１０は、プロセッサ１０２０、メモリ１０３０、ストレージデバイス１０４０、入出力インタフェース１０５０、及びネットワークインタフェース１０６０が、相互にデータを送受信するためのデータ伝送路である。ただし、プロセッサ１０２０などを互いに接続する方法は、バス接続に限定されない。
【００２６】
プロセッサ１０２０は、ＣＰＵ（Central Processing Unit） やＧＰＵ（Graphics Processing Unit）などで実現されるプロセッサである。
【００２７】
メモリ１０３０は、ＲＡＭ（Random Access Memory）などで実現される主記憶装置である。
【００２８】
ストレージデバイス１０４０は、ＨＤＤ（Hard Disk Drive）、ＳＳＤ（Solid State Drive）、メモリカード、又はＲＯＭ（Read Only Memory）などで実現される補助記憶装置である。ストレージデバイス１０４０は動画データ管理装置１０の各機能（場面選択部１２０、キーワード取得部１３０、フォルダ生成部１５０、及び再生部１７０など）を実現するプログラムモジュールを記憶している。プロセッサ１０２０がこれら各プログラムモジュールをメモリ１０３０上に読み込んで実行することで、そのプログラムモジュールに対応する各機能が実現される。
【００２９】
入出力インタフェース１０５０は、動画データ管理装置１０と各種入出力機器とを接続するためのインタフェースである。
【００３０】
ネットワークインタフェース１０６０は、動画データ管理装置１０をネットワークに接続するためのインタフェースである。このネットワークは、例えばＬＡＮ（Local Area Network）やＷＡＮ（Wide Area Network）である。ネットワークインタフェース１０６０がネットワークに接続する方法は、無線接続であってもよいし、有線接続であってもよい。
【００３１】
＜第１動作例＞
図５は、動画データ管理装置１０が行う第１動作例を説明するためのフローチャートである。本図は、対象動画データにキーワード及び第１フォルダを紐づけるときの動作を示している。
【００３２】
まず、動画データ管理装置１０のユーザは、動画データ管理装置１０の入力デバイス（例えばキーボード、マウス、又はタッチパネル）を操作し、再生すべき対象動画データを特定する情報（例えば動画データのタイトル）を動画データ管理装置１０に入力する。この入力は、例えばカーソルを用いたタイトルやファイルの選択であってもよい。すると、場面選択部１２０は、入力された情報に対応する対象動画データを動画記憶部１１０から読み出し、動画データ管理装置１０のディスプレイに表示（再生）させる（ステップＳ１０２）。このとき、キーワードの入力欄は既にディスプレイに表示されている。
【００３３】
そして動画データ管理装置１０のユーザは、第１場面として選択したい場面が現れると、動画データ管理装置１０の入力デバイスを操作し、対象動画データの再生を一時停止させる。この一時停止の入力は、例えば一時停止ボタンの選択により行われる。そして動画データ管理装置１０のユーザは、一時停止位置の微修正を行うとともに、キーワードの入力欄にキーワードを入力する。そして、一時停止位置の微修正が終わると、ユーザは、現在表示されている場面を第１場面として確定する旨の入力（例えばキーボードのｅｎｔｅｒボタンの押下や選択）、すなわち場面選択情報の入力を行う（ステップＳ１０４：Ｙｅｓ）。すると、場面選択部１２０は第１場面特定情報を生成する。次いで、キーワード取得部１３０は、キーワードの入力欄に入力されているキーワードを、第１場面特定情報に紐づけてキーワード記憶部１４０に記憶させる（ステップＳ１０６）。
【００３４】
次いで、フォルダ生成部１５０は、この第１場面に紐づけるべき第１フォルダを生成するとともに、ディスプレイに、第１フォルダをデータの保存先として選択するためのフォルダ欄を表示する。動画データ管理装置１０のユーザは、フォルダ欄を用いて、第１画面に紐づけるべき情報を第１フォルダに保存する。ユーザは、例えば、ドラッグアンドドロップ方式で、所望する情報の保存先として第１フォルダを指定する。次いで、フォルダ生成部１５０は、第１フォルダの識別情報を第１場面特定情報に紐づけてフォルダ情報記憶部１６０に記憶させる（ステップＳ１０）。
【００３５】
図６は、動画データ管理装置１０のディスプレイの表示される画面２００の一例を示す図である。画面２００は、動画表示欄２１０、タイトル表示欄２２０、キーワード入力欄２３０、及びフォルダ欄２４０を含んでいる。
【００３６】
動画表示欄２１０には対象画像データによる動画が再生される。動画表示欄２１０には一時停止ボタン２１２が含まれている。ユーザが一時停止ボタン２１２を選択すると、再生の動画が一時停止し、その後、第１場面を確定する旨の入力が行われると、第１場面特定情報が生成される。
【００３７】
タイトル表示欄２２０には、対象動画データのタイトル（ファイル名）、カテゴリ、及び対象動画データ全体に対するキーワードが表示される。ここでタイトル表示欄２２０に表示されるタイトルは、修正可能な状態で表示されてもよい。
【００３８】
キーワード入力欄２３０は、第１画面に紐づけられるキーワードが入力される欄である。キーワード入力欄２３０は、ユーザが一時停止ボタン２１２を選択したときに表示が開始されてもよいし、動画表示欄２１０における動画の再生が始まるときに既に表示されていてもよい。
【００３９】
フォルダ欄２４０は、第１フォルダに保存されるファイル（データ）が表示される欄である。ユーザは、例えばフォルダ欄２４０にファイルをドラッグ＆ドロップすることにより、そのファイルを第１フォルダに保存することができる。
【００４０】
＜第２動作例＞
図７は、動画データ管理装置１０が行う第２動作例を説明するためのフローチャートである。本図は、動画データ管理装置１０が対象動画データ及び再生開始場所を選択するときの動作を示している。
【００４１】
動画データ管理装置１０のユーザは、自身が操作する端末（以下、第１端末と記載）を用いて、検索キーワードを入力する。検索キーワードは文章であってもよい。再生部１７０は、入力された検索キーワードを取得し（ステップＳ２０２）、この検索キーワードを用いて、再生を開始すべき場所を特定する（ステップＳ２０４）。例えば再生部１７０は、取得した検索キーワードを用いて、再生を開始すべき第１場面を選択する。例えば再生部１７０は、検索キーワードとキーワード記憶部１４０が記憶しているキーワードのマッチング処理を行い、第１場面別にスコアを算出する。そして再生部１７０は、最もスコアが高かった第１場面を選択する。
【００４２】
ここで動画記憶部１１０に複数の対象動画データが記憶されている場合、再生部１７０は、対象動画データも選択する。例えば再生部１７０は、検索キーワードに対してタイトル及び対象動画データ全体に対するキーワードのマッチング処理を行い、対象動画データを選択する。
【００４３】
なお、再生部１７０は、複数の対象動画データを選択可能に第１端末に表示してもよい。この場合、ユーザが所望の対象動画データを選択する。そして再生部１７０は、ユーザが選択した対象動画データに対し、再生を開始すべき第１場面を、キーワードを用いて特定してもよい。
【００４４】
ただし、再生部１７０が行う選択処理のアルゴリズムは上述した例に限定されない。
【００４５】
そして再生部１７０は、動画記憶部１１０から対象動画データを読み出し、対象動画データを、選択した第１場面から再生する。また再生部１７０は、選択された第１場面の第１場面特定情報に対応する第１フォルダを、フォルダ情報記憶部１６０が記憶している情報を用いて特定し、特定した第１フォルダに保存されているファイル（データ）を選択可能に表示する（ステップＳ２０６）。
【００４６】
以上、本実施形態によれば、動画データ管理装置１０は、キーワード取得部１３０を有している。キーワード取得部１３０は、ユーザが選択した第１画面に紐づけてキーワードをキーワード記憶部１４０に記憶させる。このため、再生部１７０は、キーワード検索により対象動画データの再生開始場所を特定することができる。
【００４７】
また、動画データ管理装置１０は、フォルダ生成部１５０を有している。フォルダ生成部１５０は、第１フォルダを生成し、この第１フォルダを特定する情報を、ユーザが選択した第１画面に紐づけてフォルダ情報記憶部１６０に記憶させる。このため、再生部１７０は、再生開始場所に関連した第１フォルダを特定し、このフォルダに記憶されているファイル（データ）を選択可能に表示することができる。従って、動画を再生するユーザは、動画以外の情報も容易に参照できる。
【００４８】
なお、動画データ管理装置１０によって管理されている動画は、例えばワンタイムパスワードを与えられたユーザによって検索及び再生されることも可能である。動画データ管理装置１０が特定の組織（例えば会社）によって管理されている場合、ワンタイムパスワードを与えられるユーザは、例えばこの組織に属していない人である。
【００４９】
［第２実施形態］
図８は、第２実施形態に係る動画データ管理装置１０の機能構成を示す図である。本実施形態に係る動画データ管理装置１０は、評価処理部１８０を備えている点を除いて第１実施形態に係る動画データ管理装置１０と同様の構成である。
【００５０】
評価処理部１８０は、対象動画データが再生された後又は再生中に、対象動画データの感想データを入力するための感想入力欄を第１端末に表示させる。感想データは、そのユーザによる対象動画データの感想を示しており、例えば対象動画データの有用度を示している。そして評価処理部１８０は、この感想入力欄に入力された感想データを用いて対象動画データの評価データを生成する。
【００５１】
例えば、評価処理部１８０は、感想入力欄に入力された感想データを、その対象動画データに紐づけて動画記憶部１１０に記憶させる。ここで評価処理部１８０は、感想データを入力したユーザの属性（例えば職階や職級）を、感想データに紐づけて動画記憶部１１０に記憶させてもよい。この場合、再生部１７０は、対象動画データを選択する際にユーザＩＤを取得する。この取得は、例えばユーザからの入力によって行われる。そしてユーザの属性は、このユーザＩＤに予め紐づけられて、図示しない記憶部に記憶されている。
【００５２】
そして、評価処理部１８０は、動画記憶部１１０に記憶された感想データを用いて、評価データを生成する。動画記憶部１１０が感想データとともにユーザの属性を記憶している場合、評価処理部１８０は、ユーザの属性に基づいた重みづけを用いて、評価データを生成してもよい。例えば評価処理部１８０は、特定の属性を有するユーザの感想データに対する重みづけを、他のユーザの感想データの重みづけよりも大きくする。評価処理部１８０は、生成した評価データを、その対象動画データに紐づけて動画記憶部１１０に記憶させる。
【００５３】
図９は、第１端末に表示される画面４００の一例を示す図である。画面４００は、動画表示欄４１０及び感想入力欄４２０を有している。動画表示欄４１０は、対象動画データを再生した動画を表示する欄である。感想入力欄４２０は、動画表示欄４１０に表示された動画（対象動画データ）に対する評価を入力する欄である。感想入力欄４２０は、プルダウン形式で有用度のランクを選択できるようになっていてもよい。感想入力欄４２０に入力された情報は、動画記憶部１１０に記憶される。
【００５４】
このようにすると、ユーザから評価が高い対象動画データを特定することができる。このため、対象動画データを作成する作成者のモチベーションを上げることができる。また、不要な対象動画データを特定し、この対象動画データを削除又は編集することにより、対象動画データの質を上げるとともに、動画記憶部１１０の容量を有効活用することもできる。
【００５５】
なお、再生部１７０は、対象動画データの再生回数を、その対象動画データに紐づけて動画記憶部１１０に記憶させてもよい。この場合、評価処理部１８０は、この再生回数を評価データの生成に用いることができる。
【００５６】
［第３実施形態］
図１０は、第３実施形態に係る動画データ管理装置１０の機能構成を示す図である。本実施形態に係る動画データ管理装置１０は、要望処理部３００を備えている点を除いて、第２実施形態に係る動画データ管理装置１０と同様の構成である。要望処理部３００は、対象動画データとして動画記憶部１１０に記憶させるべき動画データの内容を集計する機能を有している。
【００５７】
図１１は、要望処理部３００の機能構成の一例を示す図である。要望処理部３００は、要望取得部３１０、緊急度取得部３３０、及び優先度生成部３４０を備えている。
【００５８】
要望取得部３１０は、要望入力欄をいずれかの端末（以下、第３端末と記載）に表示する。要望入力欄は、最初に対象動画データに対する要望を登録する人に対して表示される欄であり、対象動画データに追加すべき追加希望データの内容、及び当該追加希望データの緊急度を特定する情報（以下、緊急度情報と記載）を入力する欄である。緊急度情報は、その内容の優先度（又は緊急度）及び重要度の少なくとも一つを意味しており、例えばプルダウン形式で選択可能になっている。そして要望取得部３１０は、要望入力欄に入力された追加希望データの内容及び緊急度情報を、第１端末から取得して要望記憶部３２０に記憶させる。この際、要望取得部３１０は、追加希望データに識別情報を割り当て、この識別情報も記憶してもよい。本図に示す例において、要望記憶部３２０は動画データ管理装置１０の一部であるが、動画データ管理装置１０の外部のストレージであってもよい。
【００５９】
緊急度取得部３３０は、既に登録されている要望を登録した人以外の人に評価させるための欄であり、要望記憶部３２０に記憶された追加希望データの内容を、上記した緊急度情報を入力する欄（以下、緊急度入力欄と記載）とともにいずれかの端末（以下、第４端末と記載）に表示させる。そして緊急度取得部３３０は、緊急度入力欄に入力された緊急度情報を第４端末から取得して、追加希望データの内容に紐づけて要望記憶部３２０に記憶させる。緊急度取得部３３０に情報を入力できる人は、例えば動画データ管理装置１０にアクセスする権限を有する人である。この権限には、例えば管理者とそれ以外の人などのランクが設けられていてもよい。
【００６０】
優先度生成部３４０は、要望記憶部３２０に記憶された緊急度情報を用いて、その追加希望データの内容の優先度を示す優先度情報を生成し、要望記憶部３２０に記憶させる。この優先度情報は、例えば要望記憶部３２０に記憶された緊急度情報を所定の統計的な手法で処理することにより、生成される。ここで用いられる統計的な手法は様々である。
【００６１】
図１２は、要望取得部３１０が第３端末に表示する要望入力欄の一例を示す図である。本図に示す例において、要望入力欄は、追加希望データのカテゴリを入力する欄（カテゴリ入力欄）５１０、追加希望データのタイトルを入力する欄（タイトル入力欄）５２０、追加希望データの内容をフリーワード等で入力する欄（内容入力欄）５３０、追加希望データの優先度を入力する欄（優先度入力欄）５４０、及び追加希望データの緊急度を入力する欄（緊急度入力欄）５５０を有している。これらのうちカテゴリ入力欄５１０、優先度入力欄５４０、及び重要度入力欄５５０の少なくとも一つは、プルダウン形式で選択肢が選択可能に表示される。なお、カテゴリ入力欄５１０は、メインカテゴリ（大分類）を入力する欄と、サブカテゴリ（小分類）を入力する欄とを有していてもよい。そして要望入力欄に入力された情報は、要望記憶部３２０に記憶される。要望取得部３１０が追加希望データの識別情報を生成する場合、この識別情報も要望記憶部３２０に記憶される。
【００６２】
図１３は、緊急度取得部３３０が第４端末に表示す画面の一例を示す図である。本図に示す例において、緊急度取得部３３０は、第４端末に、追加希望データのカテゴリを表示する欄（カテゴリ表示欄）６１０、追加希望データのタイトルを表示する欄（タイトル表示欄）６２０、及び追加希望データの内容を表示する欄（内容表示欄）６３０を有している。緊急度取得部３３０は、要望記憶部３２０から必要な情報を読み出して、これらの欄に表示させる。緊急度取得部３３０は、さらに、入力者を特定する情報（例えば入力者のＩＤ）を入力する欄（入力者情報入力欄）６４０、その追加希望データの優先度を入力する欄（優先度入力欄）６５０、及びその追加希望データの緊急度を入力する欄（緊急度入力欄）６６０を表示させる。これらのうち優先度入力欄６５０及び重要度入力欄６６０の少なくとも一つは、プルダウン形式で選択肢が選択可能に表示される。そして、これら入力された情報は、追加希望データに紐づけて要望記憶部３２０に記憶される。
【００６３】
緊急度取得部３３０は、入力者情報入力欄６４０を表示させる場合、入力された優先度及び緊急度を、入力者情報入力欄６４０に入力された入力者特定情報に紐づけて要望記憶部３２０に記憶させる。そして優先度生成部３４０は、入力者特定情報に基づいた重みづけを用いて優先度データを生成してもよい。例えば評価処理部１８０は、特定のユーザ（例えば上記した管理者）が入力した優先度及び緊急度に対する重みづけを、他のユーザが入力した優先度及び緊急度に対する重みづけよりも大きくする。
【００６４】
そして追加の対象動画データを生成しようとする人は、要望記憶部３２０に記憶された情報を用いて、追加の対象動画データの作成順序等を決定する。例えば動画データ管理装置１０の優先度生成部３４０は、要望記憶部３２０に記憶されている情報を、ランキング形式で表示する。追加の対象動画データを生成しようとする人は、このランキングを参照することにより、追加の対象動画データの作成順序等を決定する。このため、本実施形態によれば、緊急度の高い対象動画データを優先的に生成することができる。また、緊急度の高い対象動画データを作成したものに対してインセンティブを与えることにより、緊急度の高い対象動画データを早急に入手できるようにもなる。
【００６５】
また、優先度生成部３４０は、緊急度取得部３３０を介して所定の情報を入力した人の数を、例えば入力者情報入力欄６４０に入力された情報の数などを用いてカウントし、このカウント数をランキング形式で表示してもよい。また優先度生成部３４０は、新規の対象動画データが動画記憶部１１０に登録された場合、その対象動画データに対応する追加希望データに対して基準以上の優先度や緊急度を設定した人（すなわちその対象動画データがほしいという意思を示した人）のアドレスまたは端末に対し、その対象動画データが登録された旨の通知を、その対象動画データを特定する情報とともに送信してもよい。
【００６６】
以上、図面を参照して本発明の実施形態について述べたが、これらは本発明の例示であり、上記以外の様々な構成を採用することもできる。
【００６７】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【符号の説明】
【００６８】
１０  動画データ管理装置
１１０  動画記憶部
１２０  場面選択部
１３０  キーワード取得部
１４０  キーワード記憶部
１５０  フォルダ生成部
１６０  フォルダ情報記憶部
１７０  再生部
１８０  評価処理部
２００  画面
２１０  動画表示欄
２１２  一時停止ボタン
２２０  タイトル表示欄
２３０  キーワード入力欄
２４０  フォルダ欄
３００  要望処理部
３１０  要望取得部
３２０  要望記憶部
３３０  緊急度取得部
３４０  優先度生成部
４００  画面
４１０  動画表示欄
４２０  感想入力欄
５１０  カテゴリ入力欄
５４０  優先度入力欄
５５０  重要度入力欄
６４０  入力者情報入力欄
６５０  優先度入力欄
６６０  重要度入力欄
【図１】
2020173513.tif 000003
【図２】
2020173513.tif 000004
【図３】
2020173513.tif 000005
【図４】
2020173513.tif 000006
【図５】
2020173513.tif 000007
【図６】
2020173513.tif 000008
【図７】
2020173513.tif 000009
【図８】
2020173513.tif 000010
【図９】
2020173513.tif 000011
【図１０】
2020173513.tif 000012
【図１１】
2020173513.tif 000013
【図１２】
2020173513.tif 000014
【図１３】
2020173513.tif 000015